(57)【要約】【課題】自分撮りなどを行なう場合にデジタルカメラの表示部を見やすくすることができるデジタルカメラ載置用クレードルと、自分撮りを行なう際の操作が容易なデジタルカメラとを提供する。【解決手段】カメラ１００は、撮影レンズ光学系２００２と、撮影レンズ光学系２００２で撮影された被写体像から生成された画像データを表示するモニタ１００２とを備える。カメラ１００は、クレードル５０に載置された際に、画像データを広角に切り換えて生成出力するように構成されている。クレードル本体５００２の底部には底面５００４が形成され、クレードル本体５００２上部に形成された載置部５００８の底部には、カメラ本体１０の底壁が載置される載置面が形成され、該載置面は、底面５００４からの高さが前方に向かうほど高くなるように傾斜して設けられている。【選択図】　　　　図１６
2004080180.tif 000002
【特許請求の範囲】
【請求項１】
デジタルカメラ載置用のクレードルであって、
前記クレードルは、デジタルカメラを載置するための載置部を備え、
前記載置部は、デジタルカメラを載置した状態で該デジタルカメラの撮影画像を表示する表示部を斜め上向きとするように構成されている、
ことを特徴とするデジタルカメラ載置用クレードル。
【請求項２】
前記クレードルは、該クレードルを載置するための底面を有し、前記載置部はデジタルカメラを載置するための載置面を有し、前記載置面は前記底面に対して傾斜していることを特徴とする請求項１記載のデジタルカメラ載置用クレードル。
【請求項３】
前記載置部には、前記デジタルカメラが該載置部に載置された際にデジタルカメラ側コネクタに接続されるクレードル側コネクタが設けられていることを特徴とする請求項１記載のデジタルカメラ載置用クレードル。
【請求項４】
前記クレードル側コネクタは、外部装置からの電気信号が伝達されるように構成され、前記デジタルカメラと前記外部装置は、前記デジタルカメラ側コネクタとクレードル側コネクタとを介して前記電気信号の授受を行なうように構成されていることを特徴とする請求項３記載のデジタルカメラ載置用クレードル。
【請求項５】
撮影した被写体像の画像データをデジタルズーム処理によって望遠側倍率の画像データと広角側倍率の画像データとに切り換えて出力可能な画像処理手段を有するデジタルカメラであって、
前記デジタルカメラは、該デジタルカメラ載置用のクレードルに載置された際に前記画像処理手段から前記広角側倍率の画像データを切り換えて出力させる切換手段を備えている、
ことを特徴とするデジタルカメラ。
【請求項６】
前記デジタルカメラがクレードルに載置されたか否かを検出するクレードル載置検出手段をさらに有し、前記切換手段による前記広角側倍率の画像データへの切換は前記クレードル載置検出手段の検出動作に基づいて行なわれることを特徴とする請求項５記載のデジタルカメラ。
【請求項７】
広角と望遠とに切換可能な撮影レンズ光学系を有するデジタルカメラであって、
前記デジタルカメラは、該デジタルカメラ載置用のクレードルに載置された際に前記撮影レンズ光学系を広角に切り換える切換手段を備えている、
ことを特徴とするデジタルカメラ。
【請求項８】
前記デジタルカメラがクレードルに載置されたことを検出するクレードル載置検出手段をさらに有し、前記切換手段による前記撮影レンズ光学系の広角への切換は前記クレードル載置検出手段の検出動作に基づいて行なわれることを特徴とする請求項７記載のデジタルカメラ。
【請求項９】
前記デジタルカメラは、前記クレードルに載置された際に該クレードルに設けられているクレードル側コネクタに接続される外部コネクタを有し、前記クレードル載置検出手段による検出動作は、前記外部コネクタが前記クレードル側コネクタから電気信号が供給されることに基づいて行なわれることを特徴とする請求項６または８記載のデジタルカメラ。
【発明の詳細な説明】
【０００１】
【発明の属する技術分野】
本発明はデジタルカメラ載置用のクレードルおよびデジタルカメラに関する。
【０００２】
【従来の技術】
撮像レンズ光学系で結像された被写体像を撮像素子で検出し、該撮像素子から出力される撮像信号に基づいて画像データを生成し、その画像データを表示部で表示させるとともに、メモリデバイスなどに格納するデジタルカメラがある。
そして、撮影レンズ光学系の光軸と表示部とを同じ方向に向けることが可能に構成されたデジタルカメラがあり、このようなデジタルカメラは、撮影者が自分を被写体として撮影する、いわゆる自分撮りを行なう場合、前記表示部に表示される自分の写り具合を確かめることができて便利である。
【０００３】
【発明が解決しようとする課題】
このようなデジタルカメラを用いて自分撮りを行なう場合には、デジタルカメラを自らの手で保持しつつ、表示部を自分に向けた状態にしなくてはならないが、このような姿勢は不安定であり、表示部が見づらいものとなっている。
また、自分撮りを行なう際には、デジタルカメラの撮影レンズ光学系から自分までの撮影距離が短くなるので、被写体である自分を適切な大きさで撮影するために、デジタルカメラのズームを広角側に切り換える操作を行なわなくてはならず、操作が面倒である。
本発明は、このような実状に鑑みてなされたものであり、その目的とするところは、自分撮りなどを行なう場合にデジタルカメラの表示部を見やすくすることができるデジタルカメラ載置用クレードルを提供することにある。
また、本発明の目的は、自分撮りを行なう際の操作が容易なデジタルカメラを提供することにある。
【０００４】
【課題を解決するための手段】
本発明のクレードルは、前記目的を達成するため、デジタルカメラ載置用のクレードルであって、前記クレードルは、デジタルカメラを載置するための載置部を備え、前記載置部は、デジタルカメラを載置した状態で該デジタルカメラの撮影画像を表示する表示部を斜め上向きとするように構成されていることを特徴とする。
そのため、クレードルの載置部にデジタルカメラを載置すると、デジタルカメラの表示部が斜め上向きとなるので、自分撮りを行なうカメラの使用者が該使用者に向いた表示部を容易に視認することができる。
【０００５】
また、本発明のデジタルカメラは、撮影した被写体像の画像データをデジタルズーム処理によって望遠側倍率の画像データと広角側倍率の画像データとに切り換えて出力可能な画像処理手段を有するデジタルカメラであって、前記デジタルカメラは、該デジタルカメラ載置用のクレードルに載置された際に前記画像処理手段から前記広角側倍率の画像データを切り換えて出力させる切換手段を備えていることを特徴とする。
また、本発明のデジタルカメラは、広角と望遠とに切換可能な撮影レンズ光学系を有するデジタルカメラであって、前記デジタルカメラは、該デジタルカメラ載置用のクレードルに載置された際に前記撮影レンズ光学系を広角に切り換える切換手段を備えていることを特徴とする。
そのため、デジタルカメラがクレードルに載置された際に、切換手段によって、撮影される画像データが広角に相当する画像データに切り換えられる。したがって、自分撮りの際にデジタルカメラを広角に切り換える操作を改めて行なう必要が無い。
【０００６】
【発明の実施の形態】
以下、本発明によるデジタルカメラ（以下単にカメラという）の実施の形態を図面に基づいて詳細に説明する。
図１は本発明の第１実施の形態におけるカメラを前方から見た斜視図、図２はカメラを後方から見た斜視図、図４は本発明の第１実施の形態におけるカメラの構成を示すブロック図である。
図１、図２に示すように、カメラ１００は、カメラ本体１０と、該カメラ本体１０に対して移動可能に連結されたカメラヘッド２０とを備えて構成されている。
また、前記カメラ本体１０およびカメラヘッド２０は、バッテリー３２（図３参照）から供給される電源によって作動するように構成されている。
図４に示すように、前記カメラヘッド２０は、撮影レンズ光学系２００２、撮像素子２００４、カメラ信号処理部２００６、ビューファインダ装置２００８、フラッシュライト２０１０、フラッシュ駆動部２０１２、ＡＦ補助光光源２０１４、ＬＥＤ駆動部２０１６などを備えて構成されている。
前記撮影レンズ光学系２００２は、被写体像を撮影するための撮影レンズを含んで構成されている。本実施の形態では、前記撮影レンズ光学系２００２は、撮影した被写体像の倍率を変化させることができるズームレンズではなく、焦点距離が固定された光学系で構成されている。
前記撮像素子２００４は、前記撮影レンズ光学系２００２で撮影された被写体像を検出することにより画像信号を生成出力するように構成されている。
前記カメラ信号処理部２００６は、前記撮像素子２００４から出力される画像信号に必要な処理を行なうことにより画像データを生成出力するように構成されている。
【０００７】
前記ビューファインダ装置２００８は、撮影しようとする被写体像を視認するためのものであり、対物レンズと接眼レンズを含んで構成されており、本実施の形態では、被写体像を表示させる液晶表示器を有しない光学式として構成されている。
前記フラッシュライト２０１０は、被写体像に光を照射するように構成されている。
前記フラッシュ駆動部２０１２は、前記フラッシュライト２０１０に駆動信号を供給することによりフラッシュライト２０１０を発光させるように構成されている。
前記ＡＦ補助光光源２０１４は、被写体像が暗い場合に該被写体像に光を照射することにより、前記撮影レンズ光学系２００２のオートフォーカス動作を可能とするものであり、本実施の形態では、ＬＥＤによって構成されている。
前記ＬＥＤ駆動部２０１６は、前記ＡＦ補助光光源２０１４に駆動信号を供給することにより前記ＡＦ補助光光源２０１４を発光させるように構成されている。
【０００８】
前記カメラ本体１０は、表示部としてのモニタ１００２、モニタ駆動部１００４、メモリデバイス用のコネクタ１００６、メモリデバイス用のインターフェイス部１００８、外部通信用のコネクタ１０１０、外部通信用のインターフェース部１０１２、操作部１０１４、スピーカ１０１６、スピーカ駆動部１０１８、アンテナ１０２０、ブルーツース信号処理部１０２２、ブルーツース通信用のインターフェース部１０２４、メモリ１０２６、画像信号処理部１０２８、制御部１０３０、第１スイッチ１０７０、第２スイッチ１０７２を備えて構成されている。
前記第１、第２スイッチ１０７０、１０７２は、前記カメラヘッド２０の位置に応じてオンオフ動作して第１、第２検出信号Ｓ１、Ｓ２を出力するように構成されている。
前記モニタ１００２は、被写体像などの画像データや文字データなどを表示するものであり、本実施の形態では液晶表示器によって構成されている。
前記モニタ駆動部１００４は、前記画像信号処理部１０２８から供給される画像データや文字データに基づいて駆動信号を生成して前記モニタ１００２に供給することによりモニタ１００２に表示を行なわせるように構成されている。
前記コネクタ１００６は、画像データを含むデータを記憶するメモリデバイス３０に接続可能に構成されている。
【０００９】
前記インターフェイス部１００８は、前記コネクタ１０１０に接続されたメモリデバイス３０との間で画像データを含むデータの授受を行なうように構成されている。
前記外部コネクタ１０１０は、本発明のクレードル５０（図１６）に前記カメラ本体１０を載置した時に、前記クレードル５０側のコネクタ５０１６（図１５）と接続されるように構成され、前記クレードル５０側のコネクタ５０１６を介してパーソナルコンピュータなどの情報処理装置との間で通信が可能となるように構成されている。
前記インターフェイス部１０１２は、前記外部コネクタ１０１０を介した情報の通信を司るように構成されている。
また、本実施の形態では、前記インターフェイス部１０１２は、前記外部コネクタ１０１０がクレードル５０に接続された際に、前記クレードル５０側のコネクタ５０１６から外部コネクタ１０１０に供給される電気信号の有無に応じてカメラ１００がクレードル５０に載置されたか、否かを検出し、その検出結果としてのクレードル検出信号を前記制御部１０３０に供給するように構成されている。
前記操作部１０１４は、各種操作を行なうための複数の操作スイッチや操作ボタンを含んで構成されている
前記スピーカ１０１６は、操作に対応した操作確認音、シャッター音などを発生するように構成されている。
前記スピーカ駆動部１０１８は、前記スピーカ１０１６に駆動信号を供給することにより前記スピーカ１０１６を発生させるように構成されている。
前記アンテナ１０２０は、ブルーツース通信を行なうための無線信号の送受信を行なうように構成されている。
前記ブルーツース信号処理部１０２２は、前記アンテナ１０１２０を介して前記無線信号の送信および受信の処理を行なうように構成されている。
前記インターフェース部１０２４は、前記無線信号の送受信の制御を行なうように構成されている。
前記メモリ１０２６は、前記カメラ１００の動作を行なうために必要な種々のデータを格納するように構成されている。
前記画像信号処理部１０２８は、前記カメラ信号処理部２００６から入力される画像データに対して必要な処理を行ない、処理後の画像データを前記インターフェイス部１００８、１０１２、１０２４、メモリ１０２６に供給するように構成されている。
本実施の形態では、前記画像信号処理部１０２８は、前記カメラ信号処理部２００６から入力される矩形状の領域を有する画像データをそのまま出力する第１の動作と、前記画像データの矩形状の領域のうち中心部の矩形状の領域の画像データのみを用い、かつ、周囲の矩形枠状領域の画像データを切り捨てる第２の動作とを切り換えて行なうように構成されている。
前記第１の動作によって得られる前記画像データは、前記撮影レンズ光学系２００２があたかも広角に切り換えられた場合に相当する画角の画像データ、すなわち広角側倍率の画像データに相当するものである。
前記第２の動作によって得られる前記画像データは、前記撮影レンズ光学系２００２があたかも望遠に切り換えられた場合に相当する画角の画像データ、すなわち望遠側倍率の画像データに相当するものである。
このように広角側倍率の画像データと望遠側倍率の画像データとを切り換えて生成出力する処理を行なうことにより、撮影レンズ光学系が固定焦点であってもあたかも撮影レンズ光学系がズーム式であるのと同様な広角側倍率および望遠側倍率の画像データを得ることができ、このような画像データの処理をデジタルズーム処理という。
【００１０】
前記制御部１０３０は、前記フラッシュ駆動部２０１２、ＬＥＤ駆動部２０１６、スピーカ駆動部１０１８、インターフェイス部１０２４、画像信号処理部１０２８の制御を行なうとともに、前記操作部１０１４から供給される入力信号に基づいて必要な制御を行なうように構成されている。
前記制御部１０３０は、前記操作部１０１４から入力される操作信号としてのシャッター信号に応じて、前記画像信号処理部１０２８から出力される前記画像データを前記メモリデバイス３０に記録するシャッター動作を行なう。
また、前記制御部１０３０は、前記第１スイッチ１０７０から供給される第１検出信号Ｓ１に基づいて前記モニタ１００２、撮像素子２００４、カメラ信号処理部２００６、画像信号処理部１０２８に対する電源供給のオン、オフを制御するように構成されている。
また、前記制御部１０３０は、前記第２スイッチ１０７２から供給される第２検出信号Ｓ２に基づいて前記モニタ１００２に表示する画像を、通常の表示または左右反転した鏡面表示の何れかに切り換えるように前記画像信号処理部１０２８に対する制御を行なうように構成されている。
前記制御部１０３０は、前記インターフェイス部１０２４、ブルーツース信号処理部１０２２、アンテナ１０２０を介して外部装置とブルーツース通信を行なう。
また、前記制御部１０３０は、前記操作部１０１４を構成するズームボタン１０５８（図２）の操作に応じて前記画像信号処理部１０２８の第１、第２の動作を切り換えるように構成されている。すなわち、前記ズームボタン１０５８は、前記デジタルズーム処理の広角、望遠の切換操作を行なうものである。
また、前記制御部１０３０は、前記インターフェイス部１０１２から入力される前記クレードル検出信号に基づいて前記カメラ１００がクレードル５０に載置された状態であるか否かを認識できるように構成されている。
【００１１】
図１、図２に示すように、前記カメラ本体１０は、前後方向の厚さと、厚さよりも大きな上下方向の高さと、高さよりも大きな左右方向の幅とを有した板状のケース１０３２を有して構成されている。なお、説明の便宜上、本発明において左右とはカメラ１００の前方から見て左右をいうものとする。
前記ケース１０３２は、矩形状の底壁１０３４と、底壁１０３４の四辺から起立された前壁１０３６と、後壁１０３８と、左側壁１０４０と、右側壁１０４２と、右側壁１０４２に取着された上下に延在するカバー１０４８とから構成されている。前記カバー１０４８は、ブルーツース通信用の無線電波が透過可能な材料、例えば合成樹脂材料などで構成されている。
【００１２】
前記ケース１０３２の上部には前記カメラヘッド２０収容用の凹部１０３３が、前後方向に貫通し上方に開放状に形成され、凹部１０３３の左側部には、前壁１０３６と、後壁１０３８と、左側壁１０４０との各上部を構成する柱状部分１０４６が位置し、凹部１０３３の右側部には前記カバー１０４８の上部である柱状部分が位置し、凹部１０３３の底壁１０４４はこれら柱状部分１０４６とカバー１０４８の上部の柱状部分の間で上方に臨む平坦面として形成されている。
前記柱状部分１０４６の上端と前記カバー１０４８の柱状部分の上端は同じ高さとなるように構成され、これら柱状部分１０４６とカバー１０４８の柱状部分の上端は同一形状の円筒面で形成されている。
前記柱状部分１０４６の上端、すなわち前記ケース１０３２の上部で左右方向の右側の端部には、前記操作部１０１４の一部を構成するシャッターボタン１０４７が設けられている。
図１に示すように、前記カバー１０４８の内部空間、すなわち前記ケース１０３２の凹部１０３３の右側部分の内部には、前記アンテナ１０２０が収容して配設されている。
さらに、前記カバー１０４８の外面には、前記アンテナ１０２０よりも下方の位置に、ブルーツース通信を行なう際に操作するためのブルーツーススイッチ１０４９が設けられている。前記ブルーツーススイッチ１０４９は、前記操作部１０１４の一部を構成している。
【００１３】
図２に示すように、前記ケースの底壁１０３４には、前記外部コネクター１０１０と、二次電池取り出し用の蓋１０５０と、スピーカー用の孔１０５２と、三脚取付用のねじ部１０５４とが設けられている。
前記蓋１０５０は、前記底壁に形成された不図示の二次電池収容部の開口を閉塞するものである。前記二次電池は前記メモリ１０２６のデータのバックアップ用の電源を供給するものである。
また、前記蓋１０５０および前記底壁１０３４にわたって前記カメラ１００の型番号や製造番号などが表示された機銘板１０５６が接着剤などによって取着されている。したがって、前記カメラ１００を廃棄する際には前記機銘板１０５６を底壁１０３４から剥がした後、前記蓋１０５０を開放してから前記二次電池を取り外して廃棄するように構成されている。
前記スピーカ用の孔１０５２は、前記カメラ本体１０の内部に配設された前記スピーカ１０１６の音をカメラ本体１０の外方に伝達するためのものである。
前記三脚取付用のねじ部１０５４は、前記カメラ本体１０を三脚の雄ねじに螺合するための雌ねじとして形成されている。
【００１４】
前記後壁１０３８には、前記モニタ１００２と、前記ズームボタン１０５８と、選択ボタン１０６０、１０６２と、吊り下げ金具１０６４とが設けられている。
前記モニタ１００２は、厚みを有する矩形板状に構成され、その表面側に矩形状の表示面が設けられ、裏面部分が前記後壁１０３８の前記右側壁１０４２寄りの箇所に配設されている。
前記選択ボタン１０６０、１０６２は、前記カメラ１００に対する種々の操作を行なうためのものである。
前記ズームボタン１０５８、選択ボタン１０６０、１０６２は前記操作部１０１４の一部を構成している。
前記吊り下げ金具１０６４は、ストラップを取付けるためのものである。
【００１５】
前記左側壁１０４０の上方寄りの箇所には、前記カメラ１００の動作モードを複数種類の撮影モード、再生モードに切り換えて設定するためのモード切換ダイアル１０６５が配設されている。
このモードダイアル１０６５の中心にはプッシュ式の電源スイッチ１０６７が設けられている。この電源スイッチ１０６７がオンオフ操作されると、前記第１スイッチ１０７０のオンオフ状態とは関係なく、前記制御部１０３０による電源供給のオンオフが行なわれる。
図３に示すように、前記左側壁１０４０の下半分には、前記メモリデバイス３０を収容するメモリデバイス収容部１０６４と、前記バッテリー３２を収容するバッテリー収容部１０６６とが設けられており、これら２つの収容部１０６４、１０６６はそれぞれの開口を介して外部に臨み、これら２つの開口は蓋１０６８により開閉される。
【００１６】
前記カメラヘッド２０は、ケース２０２２を有して構成され、前記ケース２０２２は、上部の両側が左右の軸支部２０４４、２０４６を介して前記凹部１０３３の両側面に揺動可能に結合され、すなわち、凹部１０３３の左側に位置する柱状部分１０４６と右側に位置するカバー１０４８の柱状部分を介して揺動可能に結合され、左右の軸支部２０４４、２０４６によってカメラヘッド２０を揺動させる回転軸線が形成されている。
前記ケース２０２２は、矩形状の下壁２０２４と、下壁２０２４の四辺から起立された前壁２０２６と、後壁２０２８と、左側壁２０３０と、右側壁２０３２と、これら前壁２０２６、後壁２０２８、左右の側壁２０３０、２０３２の上部を接続する上壁２０３４とを備えて構成されている。
前記ケース２０２２は前記凹部１０３３に収容した際に前記カメラ本体１０とあたかも一体的となるように、前記ケース１０３２と同じ厚さで形成され、また上部が前記柱状部分１０４６とカバー１０４８の柱状部分の円筒面と同一形状の円筒面で形成されている。
前記ケース２００２の下壁２０２４には、撮影レンズ用窓２０２２Ａ、ビューファインダ用窓２０２２Ｂ、ＡＦ補助光光源用窓２０２２Ｄ、フラッシュライト用窓２０２２Ｅが開口されている。
前記ケース２０２２の上壁２０３４には、接眼用窓２０２２Ｃが開口されている。
【００１７】
前記ケース２０３２の内部には、図６に示すように、ハウジング２０３６と、基板２０３８と、円柱状のコンデンサ２０４０とが取着され、また、前記ケース２０２２の内部には、前記撮影レンズ光学系２００２、ビューファインダ装置２００８、フラッシュライト２０１０、ＡＦ補助光光源２０１６、インジケータランプ２０１７（図２参照）が配設されている。
前記撮影レンズ光学系２００２、撮像素子２００４、ビューファインダ装置２００８は、前記ハウジング２０３６に保持されている。
前記撮影レンズ光学系２００２は、前記ハウジング２０３６に設けられた撮影レンズ用開口と、前記撮影レンズ用窓２０２２Ａとを介してその光軸が外方に臨むように配設されている。
【００１８】
前記ビューファインダ装置２００８は、前記ハウジング２０３６に設けられた対物レンズ用開口と、前記対物レンズ用窓２０２２Ｂを介して前記対物レンズが外方に臨むとともに、前記ハウジング２０３６に設けられた接眼用開口と、前記接眼用窓２０２２Ｃを介して前記接眼レンズが外方に臨むように配設されている。
前記ＡＦ補助光光源２０１６と前記フラッシュライト２０１０は、前記基板２０３８の表面に固定され、前記コンデンサ２０４０は、前記基板２０３８の裏面に固定されている。
前記ケース２０３２の後壁２０２８に臨む前記ハウジング２０３６箇所に凹部２０４２が形成され、前記ケース２０３２内において、前記基板２０３８と前記ＡＦ補助光光源２０１６と前記コンデンサ２０４０は、これらの一部分が前記凹部２０４２に収容されるように配設されている。
前記ＡＦ補助光光源２０１６は、前記ＡＦ補助光用窓２０２２Ｄを介して外方に臨むように配設されている。
前記フラッシュライト２０１０は、前記フラッシュライト用窓２０２２Ｅを介して外方に臨むように配設されている。
そして、前記撮影レンズ光学系２００２とフラッシュライト２０１０は、前記カメラヘッド２０の回転軸線と平行な直線上に間隔をおいて並ぶように配置されている。
図２に示すように、前記インジケータランプ２０１７は、前記ケース２０２２の上壁２０３４に外方に臨むように設けられている。このインジケータランプ２０１７は、前記フラッシュライト２０１０を発光させるためのチャージ量を表示するものであり、前記フラッシュ駆動部２０１２によって点灯される。
【００１９】
前記カメラヘッド２０の左右の軸支部２０４４、２０４６のうち左側の軸支部２０４４は、図５、図７に示すように、軸部２０４８と軸受部２０５６とで構成されている。
前記軸部２０４８は、前記ケース２０２２の左側壁２０２８の上部に突設されている。
前記軸部２０４８の基部外周には円環状の凸部２０５０が形成され、また、この凸部２０５０よりも先端側の軸部２０４８箇所には第１、第２カム部２０５２、２０５４が突出形成されている。
前記軸受部２０５６は、前記凹部１０３３の左側面（柱状部分１０４６）の内部に組み込まれた２つの軸受部材２０５８により構成されている。
前記軸部２０４８の凸部２０５０は、前記軸受部２０５６の凹溝２０６０に回転可能に支持されるように構成されている。
【００２０】
前記第１カム部２０５２は、軸部２０４８の周方向の第１角度範囲にわたって延在形成されている。
前記第２カム部２０５４は、前記第１角度範囲とは異なる軸部２０４８の周方向の第２角度範囲にわたって延在形成されている。
図８に示すように、前記軸受部２０５６の溝２０６０によって前記軸部２０３６の凸部２０３８が支持された状態で、軸受部２０５６には、軸部２０３６に臨むように前記第１スイッチ１０７０、第２スイッチ１０７２が取着されている。前記第１スイッチ１０７０は、作動片を有し、その作動片が第１カム部２０５２で押圧されることでオンし、その押圧が解除されることでオフすることにより前記第１検出信号Ｓ１を出力するように構成されている。
前記第２スイッチ１０７２は、作動片を有し、その作動片が第２カム部２０５４で押圧されることでオンし、その押圧が解除されることでオフすることにより前記第２検出信号Ｓ２を出力するように構成されている。
【００２１】
前記カメラヘッド２０の左右の軸支部２０４４、２０４６のうち右側の軸支部２０４６は、図９に示すように、ヒンジ機構２２によって構成されている。
前記ヒンジ機構２２は、固定プレート２２０２、ヒンジベース２２０４、ヒンジプレート２２０６、クリックばね２２０８、クリックプレート２２１０で構成されている。
前記固定プレート２２０２は、高さと幅を有し、高さ方向の下半部２２０２Ｃが前記カメラ本体１０の右側壁１０４２の上部に取着されることで、高さ方向の上半部２２０２Ａが、カバーの柱状部分の内部に位置するように配設される。前記固定プレーと２２０２の上部中央には矩形状の孔２２０２Ｂが形成され、該孔２２０２Ｂの両側には２つのねじ孔２２０２Ｄが形成されている。
前記ヒンジベース２２０４は、前記固定プレート２２０２の上部に取着される基部２２０４Ａを有し、したがってヒンジベース２２０４はカバー１０４８の柱状部分の内部に配設される。前記基部２２０４Ａの固定プレート２２０２と反対側の箇所には軸部２２０４Ｂが設けられ、前記軸部２２０４Ｂの径方向の外側に円弧状の溝部２２０４Ｃが設けられている。前記溝部２２０４Ｃの延在する角度範囲は、本実施の形態では３００度となっている。
また、前記軸部２２０４Ｂの先端には、軸方向に突出する断面矩形枠状の係合凸部２２０４Ｄが設けられ、また、軸部２２０４Ｂの先端で前記係合凸部２２０４Ｄの両側には２つのねじ挿通孔２２０４Ｄが形成されている。
【００２２】
前記ヒンジプレート２２０６は、板状に形成され、その中央には前記ヒンジベース２２０４の軸部２２０４Ｂに挿通されることで軸部２２０４Ｂによって回転可能に支持される孔２２０６Ａが設けられている。ヒンジプレート２２０６の孔２２０６Ａを挟む両側箇所には係合凹部２２０６Ｂ、２２０６Ｂが形成されている。
前記ヒンジプレート２２０６の前記ヒンジベース２２０４の溝部２２０４Ｃに面した箇所には該溝部２２０４Ｃに案内されるガイドピン２２０６Ｃが突設されている。また、ヒンジプレート２２０６の下部の幅方向の両側から下方に向かって２つの取付片部２２０６Ｄが延出されている。
前記クリックばね２２０８は、厚さ方向に湾曲した円環板状に形成され、厚さ方向の一方に、すなわち前記ヒンジプレート２２０６と離れる方向に突出する１つの球面状の凸部２２０８Ａが設けられている。
また、クリックばね２２０８の外縁部には前記ヒンジプレート２２０６の２つの係合凹部２２０６Ｂにそれぞれ係合する２つの係合凸部２２０８Ｂが設けられている。
前記クリッププレート２２１０は、円板状に形成され、外周部近傍には周方向に間隔をおいて５つの凹部２２１０Ａ、２２１０Ｂ、２２１０Ｃ、２２１０Ｄ、２２１０Ｅが設けられている。これら５つの凹部は、前記クリックばね２２０８の凸部２２０８Ａに係脱されるように形成されている。
本実施の形態では、前記クリックプレート２２１０の中心軸から見た前記５つの凹部の角度位置は、次のように設定されている。すなわち、前記凹部２２１０Ａを０度とすると、凹部２２１０Ｂが９０度、凹部２２１０Ｃが１８０度、凹部２２１０Ｄが２７０度、凹部２２１０Ｅが３００度である。
【００２３】
図１１（Ａ）、（Ｂ）は、前記クリックばね２２０８の凸部２２０８Ａと、クリックプレート２２１０の５つの凹部２２１０Ａ乃至２２１０Ｅとの関係を示す要部断面図である。
前記５つの凹部２２１０Ａ乃至２２１０Ｅのうちの１つの凹部、例えば凹部２２１０Ａの深さは、図１１（Ａ）、（Ｂ）に示すように、他の残りの凹部２２１０Ｂ乃至２２１０Ｅよりも大きな寸法となるように設定されている。
前記クリックプレート２２１０の中央には前記ヒンジベース２２０４の係合凸部２２０４Ｄと係合する係合孔２２１０Ｆが形成されている。また、前記係合孔２２１０Ａの両側に２つのねじ挿通孔２２１０Ｇが形成されている。
【００２４】
前記ヒンジ機構２２の組立ては、次のように行なわれる。
前記固定プレート２２０２の上部２２０２Ａに前記ヒンジベース２２０４、ヒンジプレート２２０６、クリックばね２２０８、クリックプレート２２１０をこの順番で重ねる。
ここで、前記ヒンジプレート２２０６の孔２２０６Ａにヒンジベース２２０４の軸部２２０４Ｂを挿通し、かつ、ヒンジプレート２２０６のガイドピン２２０６Ｃを前記ヒンジベース２２０４の溝部２２０４Ｃ内に位置させる。
また、前記クリックばね２２０８の係合凸部２２０８Ｂを前記ヒンジプレート２２０６の係合凹部２２０６Ｂに係合させる。
この状態で、２つのねじ２２１２を前記クリックプレート２２１０の各ねじ挿通孔２２１０Ｇとヒンジベース２２０４の各ねじ挿通孔２２０４Ｄを介して前記固定プレート２２０２の各ねじ孔２２０２Ｄに螺合する。
これにより、前記ヒンジプレート２２０６およびクリックばね２２０８が、前記固定プレート２２０２、ヒンジベース２２０４、クリックプレート２２１０に対して揺動可能に支持され、図１０に示すようにヒンジ機構２２が組み立てられる。
この際、前記クリックばね２２０８の凸部２２０８Ａが前記クリックプレート２２１０の凹部２２１０Ａ乃至２２１０Ｅのそれぞれに係合することによって前記ヒンジプレート２２０６の回転方向の位置が前記各凹部のそれぞれの位置で位置決め保持されることになる。
また、前記ヒンジプレート２２０６は、前記ガイドピン２２０６Ｃが前記ヒンジベース２２０４の溝部２２０４Ｃの延在方向に位置する２つの端部のそれぞれに当接することで軸部の回りで３００度の回転範囲の限界位置が位置決めされる。
【００２５】
このようにしてヒンジ機構２２が組立てられたならば、ヒンジ機構２２はカメラ本体１０およびカメラヘッド２０に対して次のように組付けられる。
前記ヒンジプレート２２０６の取付片部２２０６Ｄを前記カメラヘッド２０のケース２０２２の右側壁２０３２にねじで取着し、前記固定プレート２２０２の下部２２０２Ｃを前記カメラ本体１０の右側壁１０４２にねじで取着し、これにより、ヒンジ機構２２はカメラ本体１０およびカメラヘッド２０に組付けられ、前記ヒンジ機構２２は、前記カバー１０４８によって外部から覆われる。
【００２６】
次に上述のように構成されたカメラ１００におけるカメラヘッドの揺動動作について説明する。
図１２はカメラ本体に対するカメラヘッドの揺動動作を示す説明図である。
（Ａ）に示すように、前記カメラヘッド２０が収納位置にある状態、すなわちカメラヘッド２０のケース２０２２の下壁２０２４がカメラ本体１０の凹部１０３３の上面に臨む位置にある状態のカメラヘッド２０の揺動角度を０度とする。この場合、前記ヒンジ機構２２のヒンジプレート２２０６の角度も０度であり、カメラヘッド２０はヒンジ機構２２によって０度の位置に保持され、所定値以上の力が加わらない限り揺動しない状態となっている。
この状態で前記第１スイッチ１０７０は、第１カム部２０５２に押圧されていないので第１検出信号Ｓ１はオフ状態であり、前記第２スイッチ２０１０も第２カム部２０５４に押圧されていないので第２検出信号Ｓ２もオフ状態となっている。したがって、制御部１０３０は、前記電源供給を停止した状態を保持している。
なお、カメラヘッド２０が収納位置にある状態では、撮影レンズ光学系２００２が臨む撮影レンズ用窓２０２２Ａや、ビューファインダ装置２００８が臨むビューファインダ用窓２０２２Ｂや、ＡＦ補助光光源２０１６が臨むＡＦ補助光用窓２０２２Ｄや、フラッシュライト２０１０が臨むフラッシュライト用窓２０２２Ｅが凹部１０３３の底面をなす前記底壁１０４４に位置し、カメラ本体１０によって覆われ、したがって、カメラヘッド２０に組み込まれた光学部材や発光部材などのカメラ構成部材がカメラ本体１０によって保護されることになる。
【００２７】
次に、撮影者がカメラ１００による撮影を行なうために、前記カメラヘッド２０を矢印方向に揺動させると、ヒンジ機構２２の凸部が凹部から外れた状態となる。図１２（Ｂ）に示すカメラヘッド２０の角度がＸ度（ケラレがなくなる範囲の角度で例えば４５度から５５度の間の任意の角度）に至るまでの間は、前記第１、第２スイッチ１０７０、２０１０は、いずれもオフ状態となっており、制御部１０３０は、前記電源供給を停止した状態を保持している。
【００２８】
前記カメラヘッド２０の角度がＸ度になると、前記第１スイッチ１０７０が第１カム部２０５２に押圧されて第１検出信号Ｓ１がオン状態なり、これにより、前記制御部１０３０は、前記電源供給を開始する。この場合、第２スイッチ１０７２はオフ状態が維持されている。
図１３に示すように、前記カメラヘッド２０の角度がＸ度よりも小さい角度にあるときには、前記撮影レンズ光学系２００２による撮影範囲に前記カメラ本体１０の箇所が映り込むケラレが生じているが、前記カメラヘッド２０の角度がＸ度以上となったときには、前記ケラレがなくなった状態となっている。
【００２９】
図１２（Ｃ）に示すように、前記カメラヘッド２０をさらに矢印方向に揺動させ、その角度が９０度となると、ヒンジ機構２２のクリックばね２２０８の凸部２２０８Ａがクリックプレート２２１０の凹部２２１０Ｂに係合した状態となる。これにより前記カメラヘッド２０の揺動姿勢が保持され、第１スイッチ２００２はオン状態が維持され、第２スイッチ１０７２はオフ状態が維持されている。この場合、図１、図１４（Ａ）に示すように、前記カメラヘッド２０は、前記撮影レンズ光学機影２００２の光軸がカメラ本体１０の前方に向いた状態となる。
したがって、撮影者は、前記モニタ１００２に表示される被写体像を視認しつつ、あるいは前記接眼窓２０２２Ｃから被写体像を視認しつつ撮影を行なうことができる。
【００３０】
図１２（Ｄ）に示すように、前記カメラヘッド２０をさらに矢印方向に揺動させ、その角度が１８０度となると、ヒンジ機構２２のクリックばね２２０８の凸部２２０８Ａがクリックプレート２２１０の凹部２２１０Ｃに係合した状態となる。これによりカメラヘッド２０の揺動姿勢が保持され、第１スイッチ２００２はオン状態が維持され、第２スイッチ１０７２はオフ状態が維持されている。
この場合、図１、図１４（Ａ）に示すように、前記カメラヘッド２０は、前記撮影レンズ光学機影２００２の光軸がカメラ本体１０の上方に向いた状態となる。
したがって、撮影者は、前記モニタ１００２に表示される被写体像を視認しつつ撮影を行なうことができる。
【００３１】
図１２（Ｅ）に示すように、前記カメラヘッド２０をさらに矢印方向に揺動させ、その角度が２７０度となると、ヒンジ機構２２のクリックばね２２０８の凸部２２０８Ａがクリックプレート２２１０の凹部２２１０Ｄに係合した状態となる。これによりカメラヘッド２０の揺動姿勢が保持され、第１スイッチ２００２はオン状態が維持されているが、第２スイッチ１０７２は第２カム部２０５４によってオフ状態からオン状態に切り替わる。これにより、オン状態の第２検出信号Ｓ２を入力した前記制御部１０３０は、前記モニタ１００２に表示される画像を鏡面表示に切り換える。
この場合、図１４（Ｂ）に示すように、前記カメラヘッド２０は、前記撮影レンズ光学系２００２の光軸がカメラ本体１０の後方に向いた状態となる。
したがって、撮影者は、カメラ本体１０の後方に位置した状態で、前記撮影レンズ光学系２００２の光軸を撮影者自身に向けるとともに、前記モニタ１００２に表示される被写体像である自らを視認しつつ対面撮影を行なうことができる。また、この場合、前記カメラ本体１０の後方を被写体に向け、すなわちカメラヘッド２０の撮影レンズ光学系２００２の光軸およびモニタ１００２の表示面の双方を被写体に向け、撮影者がカメラ本体１０の前方側からカメラヘッド２０の接眼窓２０２２Ｃによって被写体を視認しつつ撮影を行なうこともできる。
【００３２】
図１２（Ｆ）に示すように、前記カメラヘッド２０をさらに矢印方向に揺動させ、その角度が３００度となると、ヒンジ機構２２のクリックばね２２０８の凸部２２０８Ａがクリックプレート２２１０の凹部２２１０Ｅに係合した状態となる。これによりカメラヘッド２０の揺動姿勢が保持され、第１、第２スイッチ１０７０、１０７２はともにオン状態に維持されている。これにより、前記モニタ１００２に表示される画像は鏡面表示のまま維持されている。
この場合、図１４（Ｆ）に示すように、前記カメラヘッド２０は、前記撮影レンズ光学系２００２の光軸がカメラ本体１０の後方からやや下方に向いた状態となる。
したがって、撮影者は、前記カメラ１００の後方に、かつ、カメラ１００よりも下方に位置した状態で、前記撮影レンズ光学系２００２の光軸を撮影者自身に向けるとともに、前記モニタ１００２に表示される被写体像である自らを視認しつつ対面撮影を行なうことができる。
【００３３】
また、撮影が終了した後、前記カメラヘッド２０を揺動させ図１４（Ａ）に示す収納位置に戻すと、前記第１スイッチ１０７０からの第１検出信号Ｓ１がオフ状態となり、これにより前記制御部１０３０により前記電源供給が停止される。本実施の形態では、前記カメラヘッド２０が前記Ｘ度乃至３００度の範囲に位置した状態では前記カメラ１００による撮影が可能な状態となっている。
【００３４】
次に、このようなカメラ１００が載置されるクレードル５０の構成について説明する。
図１５はクレードルの斜視図、図１６はカメラをクレードルに載置した状態を示す斜視図である。
前記クレードル５０は、前後方向の長さと上下方向の高さと左右方向の幅を有するブロック状のクレードル本体５００２を備え、クレードル本体５００２の底部には該クレードル５０を、例えば、机やディスプレイ装置に載置するための底面５００４が形成されている。
前記クレードル本体５００２は、前記底面５００４を机やディスプレイ装置などに載置した際に、その上面５００６が前方に向かうほど上下方向の高さが高くなるように傾斜するように設けられている。
前記クレードル本体５００２の上面５００６には、矩形状に窪む載置部５００８が形成され、この載置部５００８の底部には、前記カメラ１００のカメラ本体１０の底壁１０３４が載置される矩形状の載置面５０１０が形成されている。本実施の形態では、前記載置面５０１０は、前記底面５００４からの高さが前方に向かうほど高くなるように傾斜して設けられ、具体的には、前記載置面５０１０が前記底面５００４に対して１５度傾斜している。
前記載置面５０１０の外縁箇所には、前記カメラ本体１０の前壁１０３６、後壁１０３８、左右の側壁１０４０、１０４２のそれぞれの下部に当接する壁部５０１２が突出されている。
前記壁部５２１２のうち前記カメラ本体１０の後壁１０３８に臨む壁部は、図１６に示すように、カメラ本体の後壁の左右両端に臨むように左右方向の幅が短く形成され、これら壁部の間に欠部５０１４が設けられ、前記載置部５００８にカメラ本体を載置した際に、モニタ１００２、選択ボタン１０６２、吊り下げ金具１０６４に干渉しないように構成されている。なお、図１５において符号５２１３は、載置部５００８にカメラ本体を載置した際に、吊り下げ金具１０６４との干渉を阻止するための凹部である。
図１５に示すように、前記載置面５０１０の長手方向の一方寄り（左側寄り）の箇所には、前記カメラ本体１０の底壁１０３４に設けられている前記外部通信用のコネクタ１０１０に接続するクレードル側のコネクタ５０１６が上方に突設されている。
前記載置面５０１０の長手方向の他方寄りの箇所には、前記カメラ本体１０の底壁１０３４に設けられている前記三脚取付用のねじ部１０５４に嵌合される位置決めピン５０１８が突設されている。
【００３５】
次に、クレードル５０を用いてカメラの使用者自身を撮影する場合について、すなわちクレードル５０の使用方法について説明する。
図１６に示すように、前記カメラ本体１０の後壁１０３８およびモニタ１００２を前記クレードル５０の前面側に向け、カメラ本体１０の下部を前記クレードル５０の壁部５０１２の内側に位置させつつ、カメラ本体１０の底壁１０３４をクレードル５０の載置面５０１０上に載置する。
これにより、カメラ本体１０は前記クレードル５０により支持されるとともに、カメラ本体１０の底壁１０３４のねじ部１０５４にクレードル５０の位置決め凸部５０１８が嵌合され、かつ、カメラ本体１０の底壁１０３４のコネクタ１０１０がクレードル５０のコネクタ５０１６に接続される。
この場合、図１７（Ａ）に示すように、クレードル５０が水平面Ｈ上に載置されていれば、前記クレードル５０の載置面５０１０が前記底面５００４に対して１５度傾斜しているので、クレードル５０に載置されたカメラ１００のモニタ１００２の表示面も、クレードル５０の前方に対して１５度斜め上方を向くことになる。
【００３６】
次に、前記カメラ本体１０の底壁１０３４のコネクタ１０１０がクレードル５０のコネクタ５０１６に接続されることにより行なわれる前記デジタルズーム処理における広角、望遠の切換動作について図１９のフローチャートを参照して説明する。
まず、クレードル５０のコネクタ５０１６がコンピュータに接続された状態にあるものとする。
カメラ１００の使用者が前記カメラ１００がクレードル５０に載置された状態で、カメラヘッド２０を前記収納位置から揺動させると、前述したようにカメラヘッド２０がＸ度の角度に至ることで前記電源供給が開始され、カメラヘッド２０で撮影される画像データがモニタ１００２に表示される。
カメラ１００の使用者は、クレードル５０の前面側に位置し、さらに、カメラヘッド２０を揺動させて２７０度の角度に位置させると、カメラ１００の使用者に向いているモニタ１００２には撮影されたカメラの使用者の画像データが鏡面表示の形態で表示される。
【００３７】
図１９に示すように、カメラ１００の制御部１０３０は、電源供給がなされているか否かを監視しており（ステップＳ１０）、電源供給が開始されると、前記クレードル検出信号に基づいてカメラ１００がクレードル５０に載置されているか、否かを判定する（ステップＳ１２）。
ステップＳ１２の判定結果が否定ならば、前記制御部１０３８は、通常の処理に戻る。
ステップＳ１２の判定結果が肯定ならば、前記制御部１０３０は、前記画像信号処理部１０２８に対して第１の動作を実行させ、前記デジタルズーム処理によって広角に対応する画角の画像データが画像信号処理部１０２８から得られるように切り換える（ステップＳ１４）。
これにより、前記モニタ１００２に表示される画像データを広角に相当する画像データとすることができる。
そして、シャッタボタン１０４７を押下すれば、広角に相当する画像データを前記メモリデバイス３０に記録することができる。
また、このようにカメラ１００がクレードル５０に載置されることにより、前記画像信号処理部１０２８が広角側倍率の画像データを出力している状態であっても、前記ズームボタン１０５８を操作することにより、前記制御部１０３０によって画像信号処理部１０２８が望遠側倍率の画像データを出力するように切り換えられることは勿論である。
【００３８】
なお、本実施の形態では、前記画像信号処理部１０２８によって特許請求の範囲の画像処理手段が構成され、前記制御部１０３０によって特許請求の範囲の切換手段が構成されている。
また、前記外部コネクタ１０１０とインターフェイス部１０１２によって特許請求の範囲のクレードル載置検出手段が構成されている。
【００３９】
以上詳述したように、本実施の形態のクレードル５０によれば、該クレードル５０の載置部５００８にカメラ１００を載置した状態でモニタ１００２の表示面が斜め上向きとなるので、自分撮りを行なうカメラの使用者（撮影者）が該使用者に向いたモニタ１００２の表示面を容易に視認することができる利点がある。また、本実施の形態のカメラ１００によれば、該カメラ１００がクレードル５０に載置された際に、撮影される画像データが広角に相当する画像データに切り換えられるので、自分撮りの際にカメラ１００を広角に切り換える操作を改めて行なう必要が無くなり、操作性を向上させる上で有利となる。
【００４０】
また、本実施の形態によれば、図１７（Ａ）に示すように、前記クレードル５０の底面５００４が水平面Ｈに載置され、かつ、前記カメラ１００のカメラヘッド２０が２７０度の角度に位置した状態で、前記撮影レンズ光学系２００２の光軸は、水平面に対して上方に１５度傾くことになる。
したがって、カメラの使用者の視線よりも下方にあるテーブルなどの水平面Ｈ上にクレードル５０を載置すれば、前記カメラ１００の撮影レンズ光学系２００２の光軸がカメラの使用者の上半身や顔を向くことになるため、自分撮りに適した状態とすることができる利点がある。
【００４１】
また、図１７（Ｂ）に示すように、前記クレードル５０の底面５００４が水平面Ｈに載置され、かつ、前記カメラ１００のカメラヘッド２０が３００度の角度に位置した状態で、前記撮影レンズ光学系２００２の光軸は、水平面に対して下方に１５度傾くことになる。
したがって、図１８に示すように、前記カメラ１００をテレビ会議などにおけるカメラとして用いる場合、カメラの使用者の視線よりも上方の箇所、例えばテレビ会議用の表示を行なうディスプレイ装置６０の上部６００２にクレードル５０を載置すれば、前記撮影レンズ光学系２００２の光軸がカメラの使用者の上半身や顔に向くことになるため、自分撮りに適した状態とすることができる利点がある。
【００４２】
なお、本実施の形態では、カメラ１００で撮影される画像データを広角に相当する画像データに切り換える動作をデジタルズーム処理によって行なうものとして説明したが、カメラ１００の撮影レンズ光学系を広角と望遠との切換可能な撮影レンズ光学系によって構成し、この撮影レンズ光学系を広角に切り換えるように構成してもよいことは無論である。
この場合、前記撮影レンズ光学系の広角と望遠の切換は、撮影レンズ光学系を構成する複数のレンズのうちの一部のレンズを光軸方向に移動させることによって行なわれる。したがって、前記切換手段は、撮影レンズ光学系の前記一部のレンズを移動させるレンズ移動手段によって構成されることになる。
【００４３】
また、本実施の形態では、カメラ１００がクレードル５０に載置されたか、否かを検出するクレードル載置検出手段を、前記カメラ本体１０のインターフェイス部１０２２によって構成したが、前記クレードル載置検出手段の構成は任意である。
例えば、クレードル５０側に検出凸部を設け、カメラ１００側に該カメラ１００をクレードル５０に載置したときに前記検出凸部を検出するセンサを前記クレードル載置検出手段として設け、該センサの検出動作によってカメラ１００がクレードル５０に載置されたか、否かを検出するように構成してもよい。
【００４４】
【発明の効果】
以上説明したように本発明のデジタルカメラ載置用クレードルによれば、クレードルに載置されたデジタルカメラの表示部が斜め上向きになるので自分撮りなどを行なう場合に表示部を見やすくすることができる。
また、本発明のデジタルカメラによれば、該デジタルカメラをクレードルに載置することにより、撮影される画像データが広角側に切り換えられるので自分撮りを行なう際の操作が容易となる。
【図面の簡単な説明】
【図１】本発明の第１実施の形態におけるカメラを前方から見た斜視図である。
【図２】本発明の第１実施の形態におけるカメラを後方から見た斜視図である。
【図３】本発明の第１実施の形態におけるカメラにバッテリーとメモリデバイスを挿入する状態を示す説明図である。
【図４】本発明の第１実施の形態におけるカメラの構成を示すブロック図である。
【図５】カメラヘッドの斜視図である。
【図６】カメラヘッドに収容される部品の斜視図である。
【図７】カメラヘッドの軸支部を示す分解斜視図である。
【図８】カメラヘッドの軸支部を示す斜視図である。
【図９】ヒンジ機構の分解斜視図である。
【図１０】ヒンジ機構の組立図である。
【図１１】クリックばねの凸部と、クリックプレートの５つの凹部との関係を示す要部断面図である。
【図１２】カメラ本体に対するカメラヘッドの揺動動作を示す説明図である。
【図１３】カメラヘッドの撮影レンズ光学系の撮影範囲を示す説明図である。
【図１４】（Ａ）はカメラヘッドがカメラ本体の前方を向いた状態を示す図、（Ｂ）はカメラヘッドがカメラ本体の後方を向いた状態を示す図である。
【図１５】本実施の形態におけるクレードルの斜視図である。
【図１６】本実施の形態におけるカメラをクレードルに載置した状態を示す斜視図である。
【図１７】（Ａ）はカメラヘッドが２７０度の角度に揺動された状態のカメラがクレードルに載置された状態を示す図、（Ｂ）はカメラヘッドが３００度の角度に揺動された状態のカメラがクレードルに載置された状態を示す図である。
【図１８】本実施の形態のカメラをテレビ会議などにおけるカメラとして用いた場合の例を示す説明図である。
【図１９】カメラをクレードルに載置した場合の動作を示すフローチャートである。
【符号の説明】
１００……カメラ、１０……カメラ本体、１００２……撮影レンズ光学系、１０１０……外部コネクタ、１０１２……インターフェイス部、１０２８……画像信号処理部、１０３０……制御部、２０……カメラヘッド、５０……クレードル、５００４……底面、５００８……凹部、５０１０……載置面。
【図１】
2004080180.tif 000003
【図２】
2004080180.tif 000004
【図３】
2004080180.tif 000005
【図４】
2004080180.tif 000006
【図５】
2004080180.tif 000007
【図６】
2004080180.tif 000008
【図７】
2004080180.tif 000009
【図８】
2004080180.tif 000010
【図９】
2004080180.tif 000011
【図１０】
2004080180.tif 000012
【図１１】
2004080180.tif 000013
【図１２】
2004080180.tif 000014
【図１３】
2004080180.tif 000015
【図１４】
2004080180.tif 000016
【図１５】
2004080180.tif 000017
【図１６】
2004080180.tif 000018
【図１７】
2004080180.tif 000019
【図１８】
2004080180.tif 000020
【図１９】
2004080180.tif 000021